(57)【要約】【課題】サイズが異なる大小のシートの中心を同じ位置に位置決めして収容することができ、かつ、安価に製造可能なシート収容ボックスの提供を目的とする。【解決手段】本発明のシート収容ボックス１０では、シート束収容部１１の四隅にコーナーパーツ３０を装着するか否かによって、サイズが異なる大小のプリンタ用紙９１，９２の中心を同じ位置に位置決めして収容することができる。そして、そのコーナーパーツ３０を、その上下方向で面対称形状とし、シート束収容部１１の一方の対角位置に配置される１対のコーナーパーツ３０と、他方の対角位置に配置される１対のコーナーパーツ３０とを相互に上下を逆転させて装着可能にしたことにより、四隅のコーナーパーツ３０を全て同一形状にすることができる。これにより、シート収容ボックス１０を安価に製造することが可能になる。【選択図】図２
2008007142.tif 000002
【特許請求の範囲】
【請求項１】
長方形の第１のシートと、前記第１のシートより縦横が減寸されかつそれら減寸量が縦横で異なる第２のシートとのうち選択された一方のシートの束を収容可能なシート束収容部を有したシート収容ボックスであって、
前記シート束収容部の四隅に設けられ、前記第１のシートの束の各コーナー部に対して縦横両方向から宛がわれる１対の第１位置決面を有し、前記第１のシートの中心を前記シート束収容部の所定位置に位置決めするコーナー支持部と、
前記第２のシートの束を前記シート束収容部に収容する場合に、そのシート束収容部の四隅の前記コーナー支持部に着脱可能に装着され、前記第２のシートの束の各コーナー部に対して縦横両方向から宛がわれる１対の第２位置決面を有し、前記第２のシートの中心を、前記第１のシートの場合と同じ前記所定位置に位置決めするコーナーパーツとを備え、
前記コーナーパーツを、その上下方向の中心を水平に横切る水平基準面に対して面対称形状にすると共に、そのシート束収容部の一方の対角位置に配置される１対の前記コーナーパーツと、他方の対角位置に配置される１対の前記コーナーパーツとを、相互に上下を逆転させて前記各コーナー支持部に装着可能としたことを特徴とするシート収容ボックス。
【請求項２】
前記コーナー支持部に形成されて上下方向に延び、上面開口を有すると共に前記シート束収容部の内方に開放した側部開口を有し、その側部開口より奥側が広くなった保持孔と、
前記コーナーパーツから前記コーナー支持部側に突出し、上方から前記保持孔に嵌合される被保持突出部とを備えたことを特徴とする請求項１に記載のシート収容ボックス。
【請求項３】
前記被保持突出部は、前記コーナーパーツの上下方向の中央に配置され、
前記被保持突出部から上下方向に突出した係止軸を備え、
前記コーナー支持部に、前記係止軸を受容しかつ水平方向で係合する軸受容孔を設けたことを特徴とする請求項２に記載のシート収容ボックス。
【請求項４】
前記軸受容孔及び前記係止軸を、前記１対の第１位置決面からそれぞれ４５度ずつ離れた４５度基準面に対して非面対称に配置したことを特徴とする請求項３に記載のシート収容ボックス。
【請求項５】
前記コーナーパーツは、上下方向の両端部が異なる色になるように二色成形されたことを特徴とする請求項１乃至４の何れかに記載のシート収容ボックス。
【発明の詳細な説明】
【技術分野】
【０００１】
サイズが異なる２種類のシートのうち選択された何れか一方のシートの束を収容可能であると共に、何れのサイズのシートの束を収容した場合も、各シートの中心を同じ位置に位置決め可能なシート収容ボックスに関する。
【背景技術】
【０００２】
従来、この種のシート収容ボックスは、図１２（Ａ）に示すように、四隅に第１コーナーパッド１を固定して備え、これら各第１コーナーパッド１の直交した壁面１Ａ，１Ｂが比較的大きなサイズのシート８の束に対して縦横両方向から宛がわれると共に、図１２（Ｂ）に示すように、各第１コーナーパッド１の内側に第２コーナーパッド２が装着されると、それら各第２コーナーパッド１の直交した壁面２Ａ，２Ｂが比較的小さなサイズのシート９の束に対して縦横両方向から宛がわれる構成になっている。これにより、何れのサイズのシートの束を収容した場合も、各シートの中心を同じ位置に位置決めすることができる。なお、大小両サイズのシートの中心を同じ位置に位置決めすることで、シートの出し入れの自動化を容易に行うことができる。
【特許文献１】特開２００１−５８６７７号公報（段落［００３０］，［００３７］、第３図、第４図）
【発明の開示】
【発明が解決しようとする課題】
【０００３】
ところで、上記した従来のシート収容ボックスの構成では、大きなサイズのシート８に対する小さなサイズのシート９の減寸量が縦横で異なると、図１３に示すように、第１と第２のコーナーパッド１，２間で、縦向の壁面１Ａ，２Ａ同士のオフセット量Ｌ１０と、横向の壁面１Ｂ，２Ｂ同士のオフセット量Ｌ１１とが相違し、これに伴い縦横で隣り合った第２コーナーパッド２，２同士の平面形状が互いに相違する。このため、これら平面形状が異なる２種類の第２コーナーパッド２が必要になり、製造コストが高くなる。
【０００４】
本発明は、上記事情に鑑みてなされたもので、サイズが異なる大小のシートの中心を同じ位置に位置決めして収容することができ、かつ、安価に製造可能なシート収容ボックスの提供を目的とする。
【課題を解決するための手段】
【０００５】
上記目的を達成するためになされた請求項１の発明に係るシート収容ボックスは、長方形の第１のシートと、第１のシートより縦横が減寸されかつそれら減寸量が縦横で異なる第２のシートとのうち選択された一方のシートの束を収容可能なシート束収容部を有したシート収容ボックスであって、シート束収容部の四隅に設けられ、第１のシートの束の各コーナー部に対して縦横両方向から宛がわれる１対の第１位置決面を有し、第１のシートの中心をシート束収容部の所定位置に位置決めするコーナー支持部と、第２のシートの束をシート束収容部に収容する場合に、そのシート束収容部の四隅のコーナー支持部に着脱可能に装着され、第２のシートの束の各コーナー部に対して縦横両方向から宛がわれる１対の第２位置決面を有し、第２のシートの中心を、第１のシートの場合と同じ所定位置に位置決めするコーナーパーツとを備え、コーナーパーツを、その上下方向の中心を水平に横切る水平基準面に対して面対称形状にすると共に、そのシート束収容部の一方の対角位置に配置される１対のコーナーパーツと、他方の対角位置に配置される１対のコーナーパーツとを、相互に上下を逆転させて各コーナー支持部に装着可能としたところに特徴を有する。
【０００６】
請求項２の発明は、請求項１に記載のシート収容ボックスにおいて、コーナー支持部に形成されて上下方向に延び、上面開口を有すると共にシート束収容部の内方に開放した側部開口を有し、その側部開口より奥側が広くなった保持孔と、コーナーパーツからコーナー支持部側に突出し、上方から保持孔に嵌合される被保持突出部とを備えたところに特徴を有する。
【０００７】
請求項３の発明は、請求項２に記載のシート収容ボックスにおいて、被保持突出部は、コーナーパーツの上下方向の中央に配置され、被保持突出部から上下方向に突出した係止軸を備え、コーナー支持部に、係止軸を受容しかつ水平方向で係合する軸受容孔を設けたところに特徴を有する。
【０００８】
請求項４の発明は、請求項３に記載のシート収容ボックスにおいて、軸受容孔及び係止軸を、１対の第１位置決面からそれぞれ４５度ずつ離れた４５度基準面に対して非面対称に配置したところに特徴を有する。
【０００９】
請求項５の発明は、請求項１乃至４の何れかに記載のシート収容ボックスにおいて、コーナーパーツは、上下方向の両端部が異なる色になるように二色成形されたところに特徴を有する。
【発明の効果】
【００１０】
［請求項１の発明］
請求項１のシート収容ボックスでは、比較的大きなサイズの第１のシートの束をシート束収容部に収容する場合には、そのシート束収容部の四隅に設けた各コーナー支持部からコーナーパーツを取り外しておけばよい。すると、各コーナー支持部が有する１対の第１位置決面が、第１のシートの束の各コーナー部に対して縦横両方向から宛がわれ、第１のシートの中心がシート束収容部の所定位置に位置決めされる。
一方、比較的小さなサイズの第２のシートをシート束収容部に収容する場合には、そのシート束収容部の四隅の各コーナー支持部にそれぞれコーナーパーツを装着する。ここで、第１と第２のシートの間では縦横の減寸量が相違するので、縦横で隣り合ったコーナーパーツ同士の平面形状は相違しかつ相互に線対称な関係になる。
しかしながら、本発明では、コーナーパーツを、上下方向の中心を横切る水平基準面に対して面対称形状としたので、１つのシート束収容部に対して同一形状のコーナーパーツを４つ備えておき、そのシート束収容部の一方の対角位置に配置される１対のコーナーパーツに対し、他方の対角位置に配置される１対のコーナーパーツの上下を逆転させて各コーナー支持部に装着すれば、縦横で隣り合ったコーナーパーツ同士の平面形状を相互に線対称な関係にすることができる。そして、各コーナーパーツが有する１対の第２位置決面が第２のシートの束の各コーナー部に対して縦横両方向から宛がわれ、第２のシートの中心が第１のシートの場合と同じ所定位置に位置決めされる。
このように、本発明のシート収容ボックスによれば、サイズが異なる大小のシートの中心を同じ位置に位置決めして収容することができかつ、シート束収容部に取り付けられる４つのコーナーパーツを全て同一形状にしてシート収容ボックスを安価に製造することが可能になる。
【００１１】
なお、本発明において、「シートの中心」とは、シートの平面形状の図心を指す。また、第１及び第２のシートの材質は、紙、樹脂、金属等の何れれであってもよい。さらに、シート束収容部は、１つのシート収容ボックスに１つ備えてもよいし、複数備えてもよい。
【００１２】
［請求項２の発明］
請求項２の構成によれば、コーナー支持部に対してコーナーパーツをそれぞれ上方から装着すると、コーナーパーツから突出した被保持突出部が、コーナー支持部に形成された保持孔の上面開口から内部に挿入される。このとき、被保持突出部の基端部は保持孔の側部開口を内外に貫通した状態になる。そして、保持孔は、側部開口より奥側が広くなっているので、コーナーパーツが水平方向に移動不能に保持される。
【００１３】
［請求項３及び４の発明］
請求項３の構成によれば、コーナーパーツをコーナー支持部に装着すると、コーナーパーツの係止軸がコーナー支持部の軸受容孔に受容されて水平方向で受容孔に係合するので、コーナーパーツのコーナー支持部に対する水平方向の固定が確実に行われる。ここで、請求項４の構成のように、軸受容孔及び係止軸を、１対の第１位置決面からそれぞれ４５度ずつ離れた４５度基準面に対して非面対称に配置すれば、コーナーパーツがコーナー支持部に対して正規の向きとは逆向きに装着された場合に、係止軸が軸受容孔の縁部に干渉して装着が規制され、誤装着であることに容易に気づくことができる。
【００１４】
［請求項５の発明］
請求項５の構成によれば、コーナーパーツは、上下方向の両端部が異なる色になるように二色成形されているので、各コーナーパーツが正規の向きで各コーナー支持部に装着された場合には、シート束収容部の対角位置に配置されたコーナーパーツ同士が同じ色になると共に、縦横で隣り合ったコーナーパーツ同士が異なる色になり、そうならなかった場合に誤装着であることに容易に気づくことができる。
【発明を実施するための最良の形態】
【００１５】
［第１実施形態］
以下、本発明の一実施形態を図１〜図９に基づいて説明する。
図１（Ａ）に示すように、本実施形態のシート収容ボックス１０は、平面形状が長方形でかつ上面が開放しており、内部が縦横２つずつ計４つのシート束収容部１１に区画されている。そして、図１（Ａ）と図１（Ｂ）に示すように、各シート束収容部１１にＬサイズのプリンタ用紙９１又はＳサイズのプリンタ用紙９２の一方の束を選択して収容することができる。
【００１６】
そのＬサイズのプリンタ用紙９１は、本発明に係る「第１のシート」に相当し、Ｓサイズのプリンタ用紙９２は、本発明に係る「第２のシート」に相当する。これらプリンタ用紙９１，９２は共に長方形をなし、Ｓサイズのプリンタ用紙９２は、Ｌサイズのプリンタ用紙９１に対して縦横の両方の寸法が小さくなっており（即ち、減寸されており）、かつ、それら縦横の減寸量が相違している。
【００１７】
また、図１（Ａ）に示すように、Ｌサイズのプリンタ用紙９１の束には、所定枚数毎にＬサイズのプリンタ用紙９１と略同サイズの仕切用紙９３が差し込まれ、その仕切用紙９３の側縁部から複数の突片９３Ａが張り出している。さらに、図１（Ｂ）に示すように、Ｓサイズのプリンタ用紙９２の束にも、所定枚数毎にＳサイズのプリンタ用紙９２と略同サイズの仕切用紙９４が差し込まれ、その仕切用紙９４の側縁部から複数の突片９４Ａが張り出している。
【００１８】
各プリンタ用紙９１，９２の束は、各プリンタ用紙９１，９２の長辺をシート収容ボックス１０の長辺と同じ方向に向けて収容される。そして、Ｌサイズのプリンタ用紙９１の束を水平面内の縦横両方向で位置決めするために、各シート束収容部１１の四隅にはコーナー支持部１３が設けられると共に、Ｓサイズのプリンタ用紙９２の束を水平面内の縦横両方向で位置決めするために、各コーナー支持部１３にコーナーパーツ３０が装着される。以下、シート収容ボックス１０の長辺が延びた方向を横方向、短辺が延びた方向を縦方向ということとし、まずは、シート収容ボックス１０の四隅に位置したコーナー支持部１３について説明する。
【００１９】
シート収容ボックス１０全体の４隅には、内側に膨出した支持ベース突部１２が設けられている。支持ベース突部１２は、上下方向に延びた角柱構造をなし、シート収容ボックス１０の縦側壁１０Ａ及び横側壁１０Ｂのそれぞれから内側直角に立ち上がった１対の角柱側壁１２Ｓ，１２Ｓの先端間に面取壁１２Ｔを備えた構造になっている。
【００２０】
縦側壁１０Ａのうち支持ベース突部１２寄り位置からは、内側直角に横支持突壁１４Ｘが張り出し、その横支持突壁１４Ｘの先端部から支持ベース突部１２側へと直角に、横位置決ベース壁１５Ｘが張り出している。これと同様に、横側壁１０Ｂにおける支持ベース突部１２寄り位置からは、内側直角に縦支持突壁１４Ｙが張り出し、その縦支持突壁１４Ｙの先端部から支持ベース突部１２側へと直角に縦位置決ベース壁１５Ｙが張り出している。これら横と縦の支持突壁１４Ｘ，１４Ｙ及び位置決ベース壁１５Ｘ，１５Ｙは、共に上下方向に延びて支持ベース突部１２と同じ高さをなしている。そして、横位置決ベース壁１５Ｘのうちシート束収容部１１の内側を向いた第１横位置決面１５Ｘ１と、縦位置決ベース壁１５Ｙのうちシート束収容部１１の内側を向いた第１縦位置決面１５Ｙ１とによって、本発明に係る「１対の第１位置決面」が構成されている。
【００２１】
図４に示すように、支持ベース突部１２と縦横の両支持突壁１４Ｘ，１４Ｙとに囲まれた領域には、その上下方向の中間部に連絡補強壁１６，１６が形成されている。一方の連絡補強壁１６は、横支持突壁１４Ｘと縦側壁１０Ａとに沿った２辺を有する平面形状略Ｌ字形をなし、他方の連絡補強壁１６は、縦支持突壁１４Ｙと横側壁１０Ｂとに沿った２辺を有する平面形状略Ｌ字形をなしている。そして、図５に示すように、各連絡補強壁１６の内縁部からシート収容ボックス１０の底部に亘って保持孔構成壁１９が形成されている。
【００２２】
各連絡補強壁１６から各保持孔構成壁１９に亘って、それぞれ軸受容孔１７が形成されている。軸受容孔１７は、各連絡補強壁１６の内縁部に配置され、上下方向に延びたスリット状をなし、上端部が連絡補強壁１６に開放すると共に、下端部が保持孔構成壁１９の中間位置まで延びている。また、保持孔構成壁１９の外面のうち軸受容孔１７の縁部には、軸受容孔１７の上端部から途中部分に亘って係止突条３８が形成されている。
【００２３】
図７に示すように、両保持孔構成壁１９，１９及び面取壁１２Ｔに囲まれた部分は、本発明に係る保持孔１８になっている。保持孔１８は、平面形状が略六角形になっており、横位置決ベース壁１５Ｘ及び縦位置決ベース壁１５Ｙの間の側部開口１８Ａを通してシート束収容部１１の内側に開放されている。また、保持孔１８は、第１横位置決面１５Ｘ１と第１縦位置決面１５Ｙ１とからそれぞれ４５度ずつ離れた４５度基準面Ｓ１に対して非面対称形状になっている。さらに、軸受容孔１７，１７は、この４５度基準面Ｓ１に対して非面対称に配置されている。
以上が、シート収容ボックス１０の四隅に配置されたコーナー支持部１３の構造の説明である。
【００２４】
図３に示すように、シート収容ボックス１０の各縦側壁１０Ａ及び各横側壁１０Ｂの中央部には、上記したシート収容ボックス１０の四隅のコーナー支持部１３を２つ合体してなる側部支持島２０がそれぞれ形成されている。また、シート収容ボックス１０の底面における縦横の中央部からは、シート収容ボックス１０の四隅のコーナー支持部１３を４つ合体してなる中央支持島２１が起立している。そして、これら側部支持島２０及び中央支持島２１の各コーナー支持部１３と、シート収容ボックス１０の四隅のコーナー支持部１３とにより、各シート束収容部１１の四隅のコーナー支持部１３が構成されている。
【００２５】
なお、シート収容ボックス１０における各シート束収容部１１の底部には、各プリンタ用紙９１，９２の外縁部を、シート収容ボックス１０の底面から浮かせた状態にするための載置台２５が突出形成されている。また、支持ベース突部１２の上面には、図示しない位置決めピンを挿入して、シート収容ボックス１０全体を位置決めするためのピン孔１２Ｐが形成されている。
【００２６】
図５に示すように、コーナーパーツ３０は、上下方向に延びかつ上下方向の中心部から側方に被保持突出部３５を張り出した構造をなしている。また、コーナーパーツ３０は、上下方向の中心を水平に横切る水平基準面Ｓ２に対して面対称形状になっている。
【００２７】
詳細には、コーナーパーツ３０は、図８に示すように、コーナー支持部１３に装着されたときに、横位置決ベース壁１５Ｙと平行になる縦位置決オフセット壁３３Ａと、横位置決ベース壁１５Ｘと平行になる横位置決オフセット壁３２Ａと、さらに、支持ベース突部１２の面取壁１２Ｔと平行になる連絡壁３４とを備えている。
【００２８】
横位置決オフセット壁３２Ａの一方の側縁部には傾斜壁３２Ｂが接続され、その傾斜壁３２Ｂがシート束収容部１１の外側へと緩やかに屈曲して連絡壁３４に接続されている。また、横位置決オフセット壁３２Ａの他方の側縁部からはシート束収容部１１の外側に向けて縦リブ３２Ｃが張り出している。さらに、傾斜壁３２Ｂの上下方向の中央には、横リブ３２Ｄが備えられ、この横リブ３２Ｄがコーナー支持部１３の第１横位置決面１５Ｘ１に当接する。これにより、横位置決オフセット壁３２Ａのうち横位置決ベース壁１５Ｘと反対側に備えた第２横位置決面３１Ｘ１が第１横位置決面１５Ｘ１に対して所定のオフセット量Ｌ１だけシート収容ボックス１０の横方向内側に配置される。
【００２９】
コーナーパーツ３０には、縦位置決オフセット壁３３Ａを一辺として含む断面五角形の筒部が備えられ、その筒部のうち縦位置決オフセット壁３３Ａの一方の側縁部に接続された筒壁３３Ｂがシート束収容部１１の外側へと緩やかに屈曲して連絡壁３４に接続されている。そして、筒部のうち縦位置決オフセット壁３３Ａと平行な壁部３３Ｃが縦位置決ベース壁１５Ｙに当接する。これにより、縦位置決オフセット壁３３Ａのうち壁部３３Ｃと反対側の第２縦位置決面３１Ｙ１が、第１縦位置決面１５Ｙ１に対して所定のオフセット量Ｌ２だけシート収容ボックス１０の縦方向内側に配置される。また、この縦方向のオフセット量Ｌ２は、上記した横方向のオフセット量Ｌ１より大きくなっている。
【００３０】
なお、本実施形態では、上記した第２横位置決面３１Ｘ１と第２縦位置決面３１Ｙ１とが、本発明に係る「１対の第２位置決面」に相当する。
【００３１】
図５に示すように、被保持突出部３５は板状をなし、コーナーパーツ３０の上下方向における中央からコーナー支持部１３に向かって張り出している。被保持突出部３５の平面形状は、図７に示すように、保持孔１８と略同一形状になっている。
【００３２】
被保持突出部３５には、シート収容ボックス１０の縦方向と横方向に延びた１対の補強壁３７，３７が備えられている。各補強壁３７は被保持突出部３５の上下両方向に突出すると共に被保持突出部３５の先端縁より先に突出している。そして、図５に示すように、各補強壁３７の先端部からは上下両方向に角柱状の係止軸３６が延びている。また、各係止軸３６における上下方向の中心部からは、側方に向けて抜止突起３６Ａが突出している。
【００３３】
本実施形態のシート収容ボックス１０の構成に関する説明は以上である。次に、このシート収容ボックス１０の作用効果について説明する。
【００３４】
コーナーパーツ３０をシート束収容部１１のコーナー支持部１３に装着するには、以下のように行う。即ち、図３〜図５に示すように、コーナーパーツ３０を何れかのコーナー支持部１３の上方に配置し、図２の下側に示すように、シート束収容部１１に対してコーナーパーツ３０の第２横位置決面３１Ｘ１をシート収容ボックス１０の横方向（図２の左右方向）の内側に向けると共に、第２縦位置決面３１Ｙ１をシート収容ボックス１０の縦方向（図２の上下方向）の内側に向ける。
【００３５】
そして、図８に拡大して示すように、コーナーパーツ３０の壁部３３Ｃをコーナー支持部１３の第１縦位置決面１５Ｙ１に沿わせると共に、コーナーパーツ３０の横位置決オフセット壁３２Ａをコーナー支持部１３の第１縦位置決面１５Ｙ１に沿わせて、コーナーパーツ３０を下方に押し下げる。すると、コーナーパーツ３０の係止軸３６及び補強壁３７の先端部がコーナー支持部１３の軸受容孔１７に挿入され、次いで、コーナーパーツ３０の被保持突出部３５がコーナー支持部１３の保持孔１８に挿入される。このとき、被保持突出部３５の基端部は保持孔１８の側部開口１８Ａ（図７参照）を介して保持孔１８の内外に貫通した状態になる。
【００３６】
コーナーパーツ３０を更に押し下げると、被保持突出部３５が保持孔１８の奥側に移動すると共に、図５に示した係止軸３６の抜止突起３６Ａが保持孔構成壁１９の外面側の係止突条３８に摺接しながら移動し、コーナーパーツ３０の下端部がシート収容ボックス１０の底壁に到達すると、図６に示すように、抜止突起３６Ａが係止突条３８の下端部に係止してコーナーパーツ３０がコーナー支持部１３に抜け止めされる。
【００３７】
この状態で、係止軸３６は、軸受容孔１７の奥部を構成する保持孔構成壁１９に水平方向で係合し、被保持突出部３５は、側部開口１８Ａより奥側が広くなった保持孔１８の内面に係合する。これにより、コーナーパーツ３０がコーナー支持部１３に対して水平方向で位置決め固定される。ここで、各コーナー支持部１３の保持孔１８の形状及び軸受容孔１７，１７の配置、及び、これらに対応した被保持突出部３５の形状及び係止軸３６，３６の配置は、上述の如く４５度基準面Ｓ１に対して非面対称になっているので、図９に示すように、コーナー支持部１３に対してコーナーパーツ３０の上下の向きを間違えて装着すると、係止軸３６と軸受容孔１７の縁部が干渉すると共に、保持孔１８と被保持突出部３５の縁部同士が干渉し、コーナーパーツ３０をコーナー支持部１３に装着することが規制される。これにより、誤装着であることに容易に気づくことができる。
【００３８】
次いで、Ｌサイズのプリンタ用紙９１又はＳサイズのプリンタ用紙９２をシート束収容部１１に収容する場合の作業について説明する。シート収容ボックス１０では、Ｌサイズのプリンタ用紙９１の束をシート束収容部１１に収容する場合には、そのシート束収容部１１の四隅に設けた各コーナー支持部１３からコーナーパーツ３０を取り外しておけばよい。すると、図２の上側に示すように、各コーナー支持部１３が有する第１横位置決面１５Ｘ１と第１縦位置決面１５Ｙ１が、プリンタ用紙９１の束の各コーナー部に対して縦横両方向から宛がわれ、プリンタ用紙９１の中心がシート束収容部１１の所定位置に位置決めされる。
【００３９】
一方、Ｓサイズのプリンタ用紙９２をシート束収容部１１に収容する場合には、図２の下側に示すように、シート束収容部１１の四隅の各コーナー支持部１３にそれぞれコーナーパーツ３０を装着する。ここで、Ｌサイズのプリンタ用紙９１とＳサイズのプリンタ用紙９２の間では横と縦の減寸量Ｌ１，Ｌ２（図８参照）が相違するので、シート束収容部１１における横方向又は縦方向で隣り合ったコーナーパーツ３０，３０同士の平面形状は相違しかつ相互に線対称な関係になる。
【００４０】
しかしながら、本実施形態では、コーナーパーツ３０を、上下方向の中心を横切る水平基準面Ｓ２（図５参照）に対して面対称形状としたので、各シート束収容部１１に対して同一形状のコーナーパーツ３０を４つずつ備えておき、図４に示すように、各シート束収容部１１の一方の対角位置に配置される１対のコーナーパーツ３０，３０に対し、他方の対角位置に配置される１対のコーナーパーツ３０，３０の上下を逆転させて各コーナー支持部１３に装着すれば、図２に示すように、縦横で隣り合ったコーナーパーツ３０同士の平面形状を相互に線対称な関係にすることができる。そして、各コーナーパーツ３０が有する第２横位置決面３１Ｘ１と第２縦位置決面３１Ｙ１がプリンタ用紙９２の束の各コーナー部に対して縦横両方向から宛がわれ、Ｓサイズのプリンタ用紙９２の中心がＬサイズのプリンタ用紙９１の場合と同じ所定位置に位置決めされる。
【００４１】
このように、本実施形態のシート収容ボックス１０によれば、サイズが異なる大小のシートの中心を同じ位置に位置決めして収容することができかつ、共通したシート束収容部１１に取り付けられる４つのコーナーパーツ３０を全て同一形状にしてシート収容ボックス１０を安価に製造することが可能になる。
【００４２】
［第２実施形態］
本実施形態は、図１０及び図１１に示されており、前記実施形態に対し、コーナーパーツ３０が二色成形されている点のみが異なる。即ち、本実施形態のコーナーパーツ３０は、図１０に示すように、水平基準面Ｓ２を境界にして一端側と他端側とが異なる色の樹脂で成形され、その一端側の第１着色端部３０Ａと他端側の第２着色端部３０Ｂとを目視にて容易に識別可能になっている。
【００４３】
本実施形態の構成によれば、シート束収容部１１の四隅の各コーナー支持部１３に対してコーナーパーツ３０がそれぞれ正規に装着された場合には、図１１に示すように、シート束収容部１１の一方の対角位置には、第１着色端部３０Ａ，３０Ａが上側を向いたコーナーパーツ３０，３０が配置され、他方の対角位置には、第２着色端部３０Ｂ，３０Ｂが上側を向いたコーナーパーツ３０，３０が配置される。
【００４４】
即ち、各コーナー支持部１３にコーナーパーツ３０がそれぞれ正規に装着された場合には、シート束収容部１１の対角位置に配置されたコーナーパーツ３０，３０同士が同じ色になると共に、縦横で隣り合ったコーナーパーツ３０，３０同士が異なる色になり、そうならなかった場合に誤装着であることに容易に気づくことができる。
【００４５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４６】
（１）前記第１及び第２の実施形態のシート収容ボックス１０は、プリンタ用紙９１，９２を収容する構成であったが、四角形の板金、樹脂板、フィルム等を本発明に係る「第１及び第２のシート」として収容する構成としてもよい。
【００４７】
（２）前記第１及び第２の実施形態のシート収容ボックス１０は、内部が４つのシート束収容部１１に区画されていたが、シート束収容部１１を１つ備えた構成としてもよいし、シート束収容部１１を４つ以外の複数備えた構成にしてもよい。
【００４８】
（３）前記第１及び第２の実施形態のシート収容ボックス１０は、同サイズのシート束収容部１１を複数備えていたが、異なるサイズのシート束収容部１１を複数備えた構成にしてもよい。
【００４９】
（４）前記第１及び第２の実施形態において、シート収容ボックス１０が収容可能な大小のプリンタ用紙９１，９２は共に長方形であったが、何れか一方のプリンタ用紙が正方形であってもよい。
【図面の簡単な説明】
【００５０】
【図１】本発明の第１実施形態に係るシート収容ボックスの斜視図
【図２】シート収容ボックスの部分平面図
【図３】シート収容ボックスの斜視図
【図４】シート収容ボックスの部分斜視図
【図５】コーナーパーツ装着前のシート収容ボックスの部分斜視図
【図６】コーナーパーツ装着後のシート収容ボックスの部分斜視図
【図７】コーナーパーツ装着前のシート収容ボックスの部分平面図
【図８】コーナーパーツ装着後のシート収容ボックスの部分平面図
【図９】コーナーパーツを誤装着した場合のシート収容ボックスの部分平面図
【図１０】第２実施形態のコーナーパーツの斜視図
【図１１】コーナーパーツ装着後のシート収容ボックスの部分平面図
【図１２】従来のシート収容ボックスの平面図
【図１３】従来のシート収容ボックスの平面図
【符号の説明】
【００５１】
１０    シート収容ボックス
１１    シート束収容部
１３    コーナー支持部
１５Ｘ１    第１横位置決面
１５Ｙ１    第１縦位置決面
１６    連絡補強壁
１７    軸受容孔
１８    保持孔
１８Ａ    側部開口
３０    コーナーパーツ
３１Ｘ１    第２横位置決面
３１Ｙ１    第２縦位置決面
３５    被保持突出部
３６    係止軸
９１    Ｌサイズのプリンタ用紙（第１のシート）
９２    Ｓサイズのプリンタ用紙（第２のシート）
Ｓ１    ４５度基準面
Ｓ２    水平基準面
【図１】
2008007142.tif 000003
【図２】
2008007142.tif 000004
【図３】
2008007142.tif 000005
【図４】
2008007142.tif 000006
【図５】
2008007142.tif 000007
【図６】
2008007142.tif 000008
【図７】
2008007142.tif 000009
【図８】
2008007142.tif 000010
【図９】
2008007142.tif 000011
【図１２】
2008007142.tif 000012
【図１３】
2008007142.tif 000013
【図１０】
2008007142.tif 000014
【図１１】
2008007142.tif 000015